(57)【要約】【課題】有底筒状体の収納部を任意に分割可能として、その分割された収納部に工具や部品等を整理して収納しておくことにより、作業現場で工具や部品等を使用する際には、必要な工具や部品等を見つけ出し易くした道具入れを提供する。【解決手段】有底筒状体１の内周面１ａに側周板２を配し、その側周板２の内周面２ａに間仕切り３を着脱自在として配することにより、有底筒状体１の内部の収納部１ｂを複数に可変分割できるようにしている。【選択図】図１
2009082640.tif 000002
【特許請求の範囲】
【請求項１】
有底筒状体（１）の内周面（１ａ）に側周板（２）を配し、その側周板（２）の内周面（２ａ）に間仕切り（３）を着脱自在として配することにより、有底筒状体（１）の内部の収納部（１ｂ）を複数に可変分割できるようにしたことを特徴とする道具入れ。
【請求項２】
前記間仕切り（３）を、面接着可能なファスニング部材（４）を用いて側周板（２）の内周面（２ａ）に着脱自在として配したことを特徴とする請求項１記載の道具入れ。
【請求項３】
前記側周板（２）の内周面（２ａ）の全体または内周面（２ａ）に等間隔に、または内周面（２ａ）に適宜間隔をおいて、間仕切り（３）を着脱自在として配するための面接着可能なファスニング部材（４）の一方の接着部（４ａ）を固着したものとし、前記間仕切り（３）を、複数の略長方形状の板体（３ａ、３ａ）を角度調整可能に交差させて配したものとし、これら板体（３ａ、３ａ）の外方端の折返し部（３ｂ）に、前記側板（２）に固着した面接着可能なファスニング部材（４）の接着部（４ａ）に着脱自在とした面接着可能なファスニング部材（４）の他方の接着部（４ｂ）を固着したことを特徴とする請求項２記載の道具入れ。
【請求項４】
前記板体（３ａ）を、硬質もしくは半硬質の素材からなるシートとし、これらシートをその中心線で互いに屈曲自在に連結したことを特徴とする請求項３記載の道具入れ。
【請求項５】
前記有底筒状体（１）の内部の収納部（１ｂ）に内垂れ（７）を設けて、その内垂れ（７）に複数の内部収納ポケット（６）を配したことを特徴とする請求項１〜４のいずれかに記載の道具入れ。
【請求項６】
前記有底筒状体（１）の外部の壁面（１ｃ）に、複数の外部収納ポケット（８）を配したことを特徴とする請求項１〜５のいずれかに記載の道具入れ。
【発明の詳細な説明】
【技術分野】
【０００１】
この発明は、電気工事や建築工事等において、配線器具、補修・結束具、釘、ネジ類などの工事に必要な各種物品や、ドライバー、スパナ、ペンチ、ナイフなどの作業工具類を収納する道具入れに関するものである。
【背景技術】
【０００２】
従来、この種の道具入れとしては、例えば、図９、１０に示したようなものが存在する。この道具入れは、柔軟な素材からなる有底筒状体１１の胴体部１１ａの内周に、コイルばね１２の巻胴部１２ａを接するようにして配している。そして、コイルばね１２の上端部を有底筒状体１１の開口部１１ｂの近辺に止着し、コイルばね１２の下端部を有底筒状体１１の底部１１ｃの近辺に止着したものとして、有底筒状体１１を上下方向に伸縮自在としている。さらに、有底筒状体１１の開口部１１ｂの近辺の二個所には、先端部に一対となる面接着可能なファスニング部材１３の一方の接着体１３ａを配した止めベルト１４を互いに向かい合うようにして取り付けると共に、これら止めベルト１４に対応する有底筒状体１１の底部１１ｃの端部に前記面接着可能なファスニング部材１３の他方の接着体１３ｂを取り付けたものとしている（特許文献１）。
【０００３】
このように構成された道具入れは、使用時には有底筒状体１１が自立した状態に維持することができ、収納物の出し入れ等がし易く便利なものとなり、不使用時には小さく折り畳んで嵩の低いものにしておくことができ、保管しておくのに広いスペースが不要で便利であるという効果を有するとしている。
【０００４】
さらに、この種の道具入れとしては、自立可能または自立不可能な有底筒状体１１の胴体部１１ａの内部を収納部とし、その有底筒状体１１の胴体部１１ａの外周に、複数の内部内部収納ポケット（図示せず）を設けたものが存在する。
【０００５】
このように構成された道具入れは、有底筒状体１１内部の収納部に加えて、有底筒状体１１の外部の複数の内部収納ポケットにも、各種物品や作業工具類を収納できるので便利なものとなっている。
【特許文献１】特開平２００１−１１２５２８号公報（第２頁、図１、図５）
【発明の開示】
【発明が解決しようとする課題】
【０００６】
しかしながら、従来の道具入れでは、上記の有底筒状体１１に設けた内部収納ポケットに納まらない大きさの作業工具類や、その内部収納ポケットの数以上の物品は、有底筒状体１１内部の収納部に一括して収納せざるを得ず、作業現場で工具や部品等を使用する際には、各種工具、部品、部材が混在した有底筒状体１１の収納部から必要な工具や部品等を見つけ出して取り出さなければならず、不便であるという問題点を有していた。
【０００７】
そこで、この発明は、上記従来の問題点を解決することをその課題としており、有底筒状体の収納部を任意に分割可能として、その分割された収納部に工具や部品等を整理して収納しておくことにより、作業現場で工具や部品等を使用する際には、必要な工具や部品等を見つけ出し易くした道具入れを提供することを目的としてなされたものである。
【課題を解決するための手段】
【０００８】
そのため、この発明の道具入れは、有底筒状体１の内周面１ａに側周板２を配し、その側周板２の内周面２ａに間仕切り３を着脱自在として配することにより、有底筒状体１の内部の収納部１ｂを複数に可変分割できるようにしている。
【０００９】
さらに、この発明の道具入れは、前記間仕切り３を、面接着可能なファスニング部材４を用いて側周板２の内周面２ａに着脱自在として配したものとしている。
【００１０】
また、この発明の道具入れは、前記側周板２の内周面２ａの全体または内周面２ａに等間隔に、または内周面２ａに適宜間隔をおいて、間仕切り３を着脱自在として配するための面接着可能なファスニング部材４の一方の接着部４ａを固着したものとし、前記間仕切り３を、複数の略長方形状の板体３ａ、３ａを角度調整可能に交差させて配したものとし、これら板体３ａ、３ａの外方端の折返し部３ｂに、前記側板２に固着した面接着可能なファスニング部材４の接着部４ａに着脱自在とした面接着可能なファスニング部材４の他方の接着部４ｂを固着したものとしている。
【００１１】
さらに、この発明の道具入れは、前記板体３ａを、硬質もしくは半硬質の素材からなるシート材を配したシートとし、これらシートをその中心線で互いに屈曲自在に連結したものとしている。
【００１２】
また、この発明の道具入れは、前記有底筒状体１の内部の収納部１ｂに内垂れ７を設けて、その内垂れ７に複数の内部収納ポケット６を配したものとしている。
【００１３】
さらに、この発明の道具入れは、前記有底筒状体１の外部の壁面１ｃに、複数の外部収納ポケット８を配したものとしている。
【発明の効果】
【００１４】
この発明の道具入れは、以上に述べたように構成されているので、作業現場で工具や部品等を使用する際には、必要な工具や部品等を見つけ出し易く、便利なものとなり、作業効率も非常に良くなる。
【００１５】
また、この発明の道具入れは、間仕切り３を側周板２の内周面２ａに着脱自在として配することにより、有底筒状体１を自立させるための効果も得られ、さらに利便性が良くなる。
【発明を実施するための最良の形態】
【００１６】
以下、この発明の道具入れの実施の形態を、図面に基づいて詳細に説明する。
【００１７】
この発明の道具入れは、有底筒状体１の内周面１ａに側周板２を配し、その側周板２の内周面２ａに間仕切り３を着脱自在として配することにより、有底筒状体１の内部の収納部１ｂを複数に可変分割できるようにしている。前記間仕切り３は、図１〜３に示したように、面接着ファスナーのような面接着可能なファスニング部材４を用いて側周板２の内周面２ａに着脱自在として配したものとしている。この発明の道具入れは、面接着可能なファスニング部材４を用いることにより、側周板２の内周面２ａに間仕切り３を簡単で確実に着脱自在としたものとすることができるが、面接着可能なファスニング部材４に限らず、他のファスニング部材を用いて側周板２の内周面２ａに間仕切り３を着脱自在として配したものとしてもよい。
【００１８】
有底筒状体１は、図示したものでは、バケツ形状としており、布などの柔軟な素材より構成し、自立状態を保てないものとしているが、合成樹脂や金属等からなるものとして、自立状態を保てるものとしてもよい。なお、この有底筒状体１は、布などの柔軟な素材より構成し、自立状態を保てないものとした場合には、押しつぶして嵩を低くしておくことができ、保管時や運搬時に取扱い易いものとなる。
【００１９】
側周板２は、略長方形状とした合成樹脂板等からなり、円筒状に巻いて前記有底筒状体１の内周面１ａに沿うようにしている。この側周板２は、前記有底筒状体１が自立状態を保てないものとした場合であっても、有底筒状体１の内周面１ａに沿うようにすることにより、有底筒状体１が自立状態を保つことができるものとなる。そして、この側周板２には、内周面２ａの全体または内周面２ａに等間隔に、または内周面２ａに適宜間隔をおいて、間仕切り３を着脱自在として配するための面接着可能なファスニング部材４の一方の接着部４ａを固着したものとしている。さらに、前記側周板２の内周面２ａの一端には、前記面接着可能なファスニング部材４の一方の接着部４ａ、または別の面接着可能なファスニング部材４の一方の接着部４ａを固着し、側周板２の他端の外周面１ｂには面接着可能なファスニング部材４の他方の接着部４ｂを固着し、これら接着部４ａ、４ｂどうしを接着させて、側周板２を円筒状に巻いた状態に維持しておくようにしている。なお、この側周板２は、前記接着部４ａ、４ｂどうしの接着を外して有底筒状体１から取り外すことにより、嵩を小さくしておくことができ、保管時や運搬時に取扱い易いものとなる。
【００２０】
間仕切り３は、前記側周板２の内周面２ａに着脱自在として配することにより、有底筒状体１の内部の収納部１ｂを複数に可変分割できるものであればどのようなものでもよいが、図示したものでは、二枚の略長方形状の板体３ａ、３ａを角度調整可能に略十字状として交差させて配したものとし、これら板体３ａ、３ａの外方端の折返し部３ｂには、前記側周板２に固着した面接着可能なファスニング部材４の接着部４ａに着脱自在とした面接着可能なファスニング部材４の他方の接着部４ｂを固着したものとしている。なお、前記折返し部３ｂは、側周板２の内周面２ａに沿う形状としている。そして、前記板体３ａは、図示したものでは、合成樹脂、金属、木材等の硬質もしくは半硬質の素材からなるシートとし、これらシートをその中心線で互いに縫着するなどして、屈曲自在に連結したものとしている。したがって、この屈曲自在に連結した部分を支軸として、板体３ａ、３ａが回動可能となるので、隣接する板体３ａ、３ａの角度を任意に変更することができるものとなる。さらに、隣接する板体３ａ、３ａには、対向面の一方にホック等の留め具５の一方を設け、対向面の他方にボタン等の留め具５の他方を設け、この留め具５を留めておくことにより、隣接する板体３ａ、３ａどうしが重なり合った状態に維持しておくことができるようにしている。なお、前記間仕切り３は、着脱可能であり、使用しない場合は前記留め具５で隣接する板体３ａ、３ａどうしが重なり合った状態に維持しておくことにより、嵩を低くしておくことができ、保管時や運搬時に取扱い易いものとなる。
【００２１】
さらに、前記有底筒状体１の内部の収納部１ｂには、複数の内部収納ポケット６を配したものとすることができる。これら内部収納ポケット６は、有底筒状体１の上端部に突設した複数の内垂れ７のそれぞれに取り付けたものとし、これら内垂れ７を有底筒状体１の内部に折り返して垂らしたとき、内部収納ポケット６の開口部６ａが上向きになるようにしている。前記内垂れ７は、図示したものでは、有底筒状体１が間仕切り３によって四分割されたものとしているので、有底筒状体１の上端部の周囲から四方に突設したものとしているが、有底筒状体１が間仕切り３によって分割された個数分、有底筒状体１の上端部の周囲から突設したものとすることができる。また、前記有底筒状体１の外部の壁面１ｃには、複数の外部収納ポケット８を配したものとし、この外部収納ポケット８と前記内部収納ポケット６により、収納ポケットの数が増大し、さらに収納に関しての利便性が向上する。
【００２２】
以上のように構成したこの発明の道具入れは、図１に示したような有底筒状体１、側周板２および間仕切り３を分解した状態から、有底筒状体１の内部に側周板２を入れて、有底筒状体１の内周面１ａに側周板２を配する。そして、前記側周板２の内側に間仕切り３を入れて、側周板２の内周面１ａに配した面接着可能なファスニング部材４の一方の接着部４ａに、間仕切り３の板体３ａの折返し部３ｂに配した面接着可能なファスニング部材４の他方の接着部４ｂをそれぞれ接着させる。すると、この発明の道具入れは、図２、３に示したように、有底筒状体１の内部の収納部１ｂが間仕切り３によって略等分に四分割された状態となり、これら四分割された有底筒状体１の収納部１ｂに、必要な工具や部品等を整理して収納することができる。
【００２３】
次に、この発明の道具入れは、図２、３に示した状態から、前記間仕切り３の板体３ａの面接着可能なファスニング部材４の接着部４ｂの一つを、側周板２の面接着可能なファスニング部材４の接着部４ａから剥がし、この間仕切り３の板体３ａを隣接する間仕切り３の板体３ａに重ね合わせ、留め具５で留めておき、隣接する板体３ａどうしが重なり合った状態を維持しておくと、図４に示したように、有底筒状体１の内部の収納部１ｂが間仕切り３によって三分割された状態となり、これら三分割された有底筒状体１の収納部１ｂに、必要な工具や部品等を整理して収納することができる。
【００２４】
さらに、この発明の道具入れは、図４に示した状態から、前記の重なり合った状態にしていない隣接する板体３ａの一つの面接着可能なファスニング部材４の接着部４ｂを、側周板２の面接着可能なファスニング部材４の接着部４ａから剥がし、この間仕切り３の板体３ａを隣接する間仕切り３の板体３ａに重ね合わせ、留め具５で留めておき、隣接する板体３ａどうしが重なり合った状態を維持しておくと、図５に示したように、有底筒状体１の内部の収納部１ｂが間仕切り３によって略等分に二分割された状態となったり、図６に示したように、有底筒状体１の内部の収納部１ｂが間仕切り３によって不等分に二分割された状態となり、これら二分割された有底筒状体１の収納部１ｂに、必要な工具や部品等を整理して収納することができる。
【００２５】
なお、この発明の道具入れは、図４および図５、６に示した状態で、剥がした板体３ａの面接着可能なファスニング部材４の接着部４ｂを、隣接する板体３ａの面接着可能なファスニング部材４の接着部４ａが接着している側周板２の面接着可能なファスニング部材４の接着部４ａに接着させれば、これらの接着と前記留め具５とによって、隣接する板体３ａどうしが重なり合った状態を堅固に維持しておくことができるものとなる。
【００２６】
また、この発明の道具入れは、有底筒状体１の内部に複数の内部収納ポケット６を配したものとするには、図７に示したような有底筒状体１の上端部に突設した複数の内垂れ７を、有底筒状体１の内部の収納部１ｂに折り返して垂らせば、図８に示したように、これら内垂れ７に取り付けた内部収納ポケット６の開口部６ａが上向きになり、必要な工具や部品等を有底筒状体１の上方からこれら内部収納ポケット６に収納することができる。
【００２７】
したがって、この発明の道具入れは、任意個数に分割された有底筒状体１の収納部１ｂに工具や部品を整理して収納しておくことにより、作業現場等においてその工具や部品を使用する際には、必要な工具や部品を区別して、見つけ出し取り出し易いものとなる。
【図面の簡単な説明】
【００２８】
【図１】この発明の道具入れの一実施形態を示す分解斜視図である。
【図２】この発明の道具入れの組み立てた状態を示す斜視図である。
【図３】この発明の道具入れの使用状態の一例を示す平面図である。
【図４】この発明の道具入れの使用状態の他の例を示す平面図である。
【図５】この発明の道具入れの使用状態のさらに他の例を示す平面図である。
【図６】この発明の道具入れの使用状態のさらに他の例を示す平面図である。
【図７】この発明の道具入れの有底筒状体の上端部に突設した複数の内垂れを展開した状態を示す説明図である。
【図８】この発明の道具入れの内部収納ポケットを有した実施形態の要部を示す斜視図である。
【図９】従来の道具入れの一例を示す斜視図である。
【図１０】図９に示す従来の道具入れを収縮させた状態を示す斜視図である。
【符号の説明】
【００２９】
１  有底筒状体
１ａ  内周面
１ｂ  収納部
１ｃ  壁面
２  側周板
２ａ  内周面
３  間仕切り
３ａ  板体
４  面接着可能なファスニング部材
４ａ  接着部
４ｂ  接着部
６  内部収納ポケット
７  内垂れ
８  外部収納ポケット
【図１】
2009082640.tif 000003
【図２】
2009082640.tif 000004
【図３】
2009082640.tif 000005
【図４】
2009082640.tif 000006
【図５】
2009082640.tif 000007
【図６】
2009082640.tif 000008
【図７】
2009082640.tif 000009
【図８】
2009082640.tif 000010
【図９】
2009082640.tif 000011
【図１０】
2009082640.tif 000012